(57)【要約】【課題】チェックポイントに設置された端末装置で参加登録及びスタンプ押下の両方を行わせるシステムにおいて、参加登録だけ行い、その位置でのスタンプ押下が行われない不都合の発生を抑制する。【解決手段】本発明は、対象者による操作内容を示す操作情報、対象者の位置を示す位置情報、及び対象者の生体情報を端末装置から取得する取得部１１と、操作情報が第１の処理を示す場合、参加者識別情報と参加者の生体情報とを紐付けて登録している参加者リストに含まれる対象者の生体情報を検索し、対象者の生体情報に紐付けられている参加者識別情報に紐付けて、対象者が位置情報で示される位置に到着したことを登録する第１の登録部１２と、操作情報が第２の処理を示す場合、新たな参加者識別情報に紐付けて対象者の生体情報を参加者リストに登録するとともに、新たな参加者識別情報に紐付けて、対象者が位置情報で示される位置に到着したことを登録する第２の登録部１３と、を有する処理装置１０を提供する。【選択図】図４
2020071706.tif 000002
【特許請求の範囲】
【請求項１】
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置。
【請求項２】
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置。
【請求項３】
請求項１又は２に記載の処理装置において、
前記第２の登録手段は、前記対象者の生体情報の登録、及び、前記対象者が前記位置情報で示される位置に到着したことの登録の完了を示す情報を、前記端末装置に送信し、前記端末装置が備えるディスプレイに表示させる処理装置。
【請求項４】
請求項１から３のいずれか１項に記載の処理装置において、
前記第１の登録手段及び前記第２の登録手段は、前記対象者が複数の位置各々に到着した順番を示す情報を登録する処理装置。
【請求項５】
請求項１から４のいずれか１項に記載の処理装置において、
複数の前記端末装置各々が、複数の位置各々に設置されており、
前記対象者の位置を示す位置情報として、前記端末装置の識別情報を取得する処理装置。
【請求項６】
請求項１から５のいずれか１項に記載の処理装置において、
所定条件を満たす場合、前記参加者リストに登録されている生体情報を削除するか否かを問い合わせる問い合わせ画面を前記端末装置に送信し、前記端末装置が備えるディスプレイに前記問い合わせ画面を表示させ、前記問い合わせ画面における前記生体情報を削除する旨の入力を示す情報を前記端末装置から取得すると、前記生体情報を前記参加者リストから削除する削除手段をさらに有する処理装置。
【請求項７】
請求項６に記載の処理装置において、
前記削除手段は、複数の位置すべてに到着したことが登録されると、前記問い合わせ画面を前記端末装置に送信する処理装置。
【請求項８】
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システム。
【請求項９】
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
前記対象者の生体情報の入力を受付ける手段と、
前記対象者の生体情報を前記処理装置に送信する手段と、
を有する処理システム。
【請求項１０】
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法。
【請求項１１】
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラム。
【請求項１２】
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法。
【請求項１３】
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラム。
【発明の詳細な説明】
【技術分野】
【０００１】
本発明は、処理装置、処理システム、処理方法及びプログラムに関する。
【背景技術】
【０００２】
非特許文献１及び２は、顔認証に成功すると、スタンプが押される顔認証スタンプラリーが開示されている。
【０００３】
非特許文献１に開示の技術の場合、参加者は、自身の通信端末を操作して顔認証スタンプラリーのウェブサイトにアクセスし、ニックネーム及び自身の顔画像の登録を行う。この操作により、参加者のニックネーム及び顔画像がサーバに登録される。その後、参加者は、チェックポイントに設置された端末装置に表示された「スタンプを押す」ボタンをタッチした後、当該端末装置で自身の顔を撮影する。当該顔画像での顔認証に成功すると、その参加者に対して、当該位置に特有のスタンプが押される。
【０００４】
非特許文献２に開示の技術の場合、チェックポイントに設置された端末装置に「初めて参加する」ボタン及び「スタンプを押す」ボタンが表示される。参加者は、当該端末装置を操作して、自身の顔画像の登録や、チェックポイントでのスタンプ押下を行う。
【先行技術文献】
【非特許文献】
【０００５】
【非特許文献１】“「顔認証スタンプラリー」マイクロソフト顔認証ＡＰＩの利用例”、［online］、２０１７年１１月４日、２０１８年１０月９日検索、インターネット<URL: https://itwork100.com/face-auth-stamp-rally/>
【非特許文献２】“ＮＥＣ、三好市に顔認証を活用したスタンプラリーサービス及び観光アプリを提供  〜先進ＩＣＴの活用による観光産業の活性化に貢献〜”、［online］、２０１７年９月２５日、日本電気株式会社、２０１８年１０月９日検索、インターネット<URL: https://jpn.nec.com/press/201709/20170925_03.html>
【発明の概要】
【発明が解決しようとする課題】
【０００６】
参加者自身の通信端末を介して参加登録を行わせる非特許文献１に開示の技術の場合、通信端末を有さない者はスタンプラリーに参加できない。
【０００７】
会場のチェックポイントに設置された端末装置を介して参加登録を行わせる非特許文献２に開示の技術の場合、上記非特許文献１の課題を解決できる。しかし、チェックポイントに設置された端末装置で参加登録及びスタンプ押下の両方を行わせるように構成した場合、参加登録だけ行い、その位置でのスタンプ押下を忘れる参加者が現れる恐れがある。
【０００８】
本発明は、チェックポイントに設置された端末装置で参加登録及びスタンプ押下の両方を行わせる技術において、参加登録だけ行い、その位置でのスタンプ押下が行われない不都合の発生を抑制することを課題とする。
【課題を解決するための手段】
【０００９】
本発明によれば、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置が提供される。
【００１０】
また、本発明によれば、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置が提供される。
【００１１】
また、本発明によれば、
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
前記処理内容を指定する入力、及び、前記対象者の生体情報の入力を受付ける手段と、
前記操作情報及び前記対象者の生体情報を前記処理装置に送信する手段と、
を有する処理システムが提供される。
【００１２】
また、本発明によれば、
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
前記対象者の生体情報の入力を受付ける手段と、
前記対象者の生体情報を前記処理装置に送信する手段と、
を有する処理システムが提供される。
【００１３】
また、本発明によれば、
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法が提供される。
【００１４】
また、本発明によれば、
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラムが提供される。
【００１５】
また、本発明によれば、
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法が提供される。
【００１６】
また、本発明によれば、
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラムが提供される。
【発明の効果】
【００１７】
本発明によれば、チェックポイントに設置された端末装置で参加登録及びスタンプ押下の両方を行わせる技術において、参加登録だけ行い、その位置でのスタンプ押下が行われない不都合の発生を抑制できる。
【図面の簡単な説明】
【００１８】
【図１】本実施形態の処理システムの機能ブロック図の一例である。
【図２】本実施形態の端末装置に表示される画面の一例である。
【図３】本実施形態の処理装置のハードウエア構成の一例を示す図である。
【図４】本実施形態の処理装置の機能ブロック図の一例である。
【図５】本実施形態の処理装置が記憶する情報の一例を模式的に示す図である。
【図６】本実施形態の処理装置が記憶する情報の一例を模式的に示す図である。
【図７】本実施形態の処理システムの処理の流れの一例を示すシーケンス図である。
【図８】本実施形態の処理装置の処理の流れの一例を示すフローチャートである。
【図９】本実施形態の端末装置に表示される画面の一例である。
【図１０】本実施形態の端末装置に表示される画面の一例である。
【図１１】本実施形態の処理システムの処理の流れの一例を示すシーケンス図である。
【図１２】本実施形態の処理装置の処理の流れの一例を示すフローチャートである。
【図１３】本実施形態の処理装置が記憶する情報の一例を模式的に示す図である。
【図１４】本実施形態の処理装置の機能ブロック図の一例である。
【図１５】本実施形態の処理装置の処理の流れの一例を示すフローチャートである。
【図１６】本実施形態の処理装置の処理の流れの一例を示すフローチャートである。
【図１７】本実施形態の端末装置に表示される画面の一例である。
【図１８】本実施形態の処理装置の機能ブロック図の一例である。
【図１９】本実施形態の処理装置の機能ブロック図の一例である。
【図２０】本実施形態の端末装置に表示される画面の一例である。
【発明を実施するための形態】
【００１９】
＜第１の実施形態＞
まず、図１を用いて、本実施形態の処理システムの全体像及び概要を説明する。図示するように、処理システムは、処理装置１０と、複数の端末装置２０とを有する。処理装置１０と、複数の端末装置２０各々とは、有線及び／又は無線で互いに通信可能になっている。
【００２０】
複数の端末装置２０各々は、複数のチェックポイント各々に設置され、参加登録及びスタンプ押下の両方を受付けるように構成される。
【００２１】
各端末装置２０は、各種情報を表示するディスプレイと、操作（処理内容を指定する入力等）を受付ける入力手段と、生体情報の入力を受付ける生体情報取得手段と、各種情報を処理装置１０に送信する通信手段とを有する。入力手段は、タッチパネル、物理ボタン、マイク、マウス、キーボード等が例示されるが、これらに限定されない。生体情報取得手段が取得する生体情報は、顔画像、指紋、虹彩、声紋、耳音響特性（耳に向けて送出された音の反射音）等が例示されるが、これらに限定されない。このような生体情報を取得する生体情報取得手段の構成は、あらゆる技術を用いて実現できる。
【００２２】
各端末装置２０は、例えば、図２に示すような画面を自装置のディスプレイに表示する。当該画面では、「スタンプを押す」ボタンと「初めて参加する」ボタンとが表示されている。
【００２３】
端末装置２０は、「スタンプを押す」ボタンに対するタッチを受付けた後、生体情報取得手段を介して対象者の生体情報を取得する。そして、端末装置２０は、対象者が指定した処理内容（スタンプを押す）を示す操作情報、対象者の位置を示す位置情報、及び対象者の生体情報（入力された情報又はその特徴を示す特徴情報）を処理装置１０に送信する。対象者の位置を示す位置情報は、端末装置２０を識別する情報とすることができる。
【００２４】
また、端末装置２０は、「初めて参加する」ボタンに対するタッチを受付けた後も同様に、生体情報取得手段を介して参加者の生体情報を取得する。そして、端末装置２０は、対象者が指定した処理内容（初めて参加する）を示す操作情報、対象者の位置を示す位置情報、及び対象者の生体情報を処理装置１０に送信する。
【００２５】
処理装置１０は、端末装置２０から受信した情報に基づき、参加登録やスタンプ押下等を実行する。まず、「スタンプを押す」を示す操作情報を取得した場合、処理装置１０はスタンプ押下の処理を行う。一方、「初めて参加する」を示す操作情報を取得した場合、処理装置１０は、参加登録の処理を行った後、スタンプ押下の処理を行う。このように、本実施形態の処理システムは、例えば図２に示す画面における「初めて参加する」ボタンのタッチに応じて、参加登録のみならず、スタンプ押下も行う。
【００２６】
図２に示す画面における「初めて参加する」ボタンのタッチに応じて参加登録のみを行う構成とした場合、参加者は参加登録の後に、改めて「スタンプを押す」ボタンをタッチしてスタンプ押下を行うことになる。このようなシステム構成にすると、参加登録だけ行い、その位置でのスタンプ押下を忘れる参加者が現れる恐れがある。本実施形態の処理システムによれば、当該不都合の発生を抑制できる。
【００２７】
次に、本実施形態の処理装置１０の構成を詳細に説明する。まず、処理装置１０のハードウエア構成の一例について説明する。本実施形態の処理装置１０が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２８】
図３は、本実施形態の処理装置１０のハードウエア構成を例示するブロック図である。図３に示すように、処理装置１０は、プロセッサ１Ａ、メモリ２Ａ、入出力インターフェイス３Ａ、周辺回路４Ａ、バス５Ａを有する。周辺回路４Ａには、様々なモジュールが含まれる。処理装置１０は周辺回路４Ａを有さなくてもよい。なお、処理装置１０は物理的及び／又は論理的に分かれた複数の装置で構成されてもよい。この場合、複数の装置各々が上記ハードウエア構成を備えることができる。
【００２９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサ、カメラ等から情報を取得するためのインターフェイスや、出力装置、外部装置、外部サーバ等に情報を出力するためのインターフェイスなどを含む。入力装置は、例えばキーボード、マウス、マイク等である。出力装置は、例えばディスプレイ、スピーカ、プリンター、メーラ等である。プロセッサ１Ａは、各モジュールに指令を出し、それらの演算結果をもとに演算を行うことができる。
【００３０】
次に、処理装置１０の構成の一例について説明する。図４の機能ブロック図に示すように、処理装置１０は、取得部１１と、第１の登録部１２と、第２の登録部１３と、参加者情報記憶部１４とを有する。
【００３１】
参加者情報記憶部１４は、参加者識別情報と参加者の生体情報とを紐付けて登録している参加者リストを記憶する。参加者識別情報は、処理装置１０が提供するスタンプラリーに参加する参加者を識別する情報である。参加者情報記憶部１４は、さらに、参加者識別情報に紐付けて、複数のチェックポイント各々のスタンプの押下状況を示すスタンプ情報を記憶することができる。図５に、参加者情報記憶部１４が記憶する情報の一例を模式的に示す。図示する情報では、参加者識別情報と、生体情報と、スタンプ情報とが互いに紐付けて記憶されている。スタンプ情報における「Ｐ００１」、「Ｐ００２」、「Ｐ００３」等は、複数のチェックポイント各々の識別情報である。チェックポイントの識別情報に紐付けてチェックが入っている場合、そのチェックポイントでスタンプを押下したことを意味する。
【００３２】
図４に戻り、取得部１１は、端末装置２０の対象者による操作内容を示す操作情報、対象者の位置を示す位置情報、及び対象者の生体情報を端末装置２０から取得する。
【００３３】
対象者は、処理装置１０が提供するスタンプラリーに参加している参加者であり、チェックポイントに設置されている端末装置２０を操作する操作者である。
【００３４】
操作情報は、対象者による端末装置２０の操作内容を含む。操作情報は、対象者が指定した処理内容を示す情報を含むことができる。対象者が指定する処理内容は、「参加登録」又は「スタンプ押下」である。例えば、端末装置２０は、「参加登録」及び「スタンプ押下」各々に紐付いたボタンを有する画面（図２参照）をディスプレイに表示してもよい。そして、端末装置２０は、いずれかのボタンをタッチする操作を受付けてもよい。なお、端末装置２０が対象者から処理内容を指定する入力を受付ける手段はこれに限定されず、その他の構成とすることもできる。
【００３５】
位置情報は、操作を受付けている端末装置２０の識別情報とすることができる。本実施形態では、複数のチェックポイント各々に端末装置２０が設置（常設）される。このため、図６に示すように、予め、チェックポイント識別情報と、各チェックポイントに設置された端末装置２０の識別情報（端末装置識別情報）とを紐付けて登録しておくことで、端末装置２０の識別情報を位置情報として利用することができる。
【００３６】
対象者の生体情報は、顔画像、指紋、虹彩、声紋、耳音響特性（耳に向けて送出された音の反射音）や、それらの特徴を示す特徴情報が例示されるが、これらに限定されない。
【００３７】
図４に戻り、第１の登録部１２は、操作情報が「スタンプ押下（第１の処理）」を示す場合、対象者の生体情報をキーとして参加者リスト（図５参照）を検索することで、対象者の参加者識別情報を特定する。そして、特定した参加者識別情報（参加者リストにおいて対象者の生体情報に紐付けられている参加者識別情報）に紐付けて、対象者が位置情報で示される位置に到着したことを登録する。
【００３８】
「位置情報で示される位置に到着したことの登録」は、チェックポイントでスタンプを押下したことの登録と同義である。例えば、第１の登録部１２は、図５に示すような参加者リストにおいて、特定した参加者識別情報と、位置情報で示される位置とに紐付けてチェックを登録する。なお、「位置情報で示される位置に到着したことの登録」は、「位置情報で示される位置に存在することの登録」、「位置情報で示される位置を経由したことの登録」、「位置情報で示される位置に来たことの登録」、「位置情報で示される位置に行ったことの登録」、「位置情報で示される位置を訪問したことの登録」等に言い換えることができる。
【００３９】
図４に戻り、第２の登録部１３は、操作情報が「参加登録（第２の処理）」を示す場合、新たな参加者識別情報に紐付けて対象者の生体情報を参加者リストに登録する。さらに、第２の登録部１３は、新たな参加者識別情報に紐付けて、対象者が位置情報で示される位置に到着したことを登録する。
【００４０】
次に、図７のシーケンス図を用いて、処理システムの処理の流れの一例を説明する。まず、端末装置２０は、処理内容を指定する入力を受付ける（Ｓ１０１）。具体的には、端末装置２０は、「参加登録」及び「スタンプ押下」のいずれかを指定する入力を受付ける。その後、端末装置２０は、生体情報の入力を促す画面をディスプレイに表示し、生体情報の入力を受付ける（Ｓ１０２）。その後、端末装置２０は、Ｓ１０１で指定された処理内容を示す操作情報、対象者の位置を示す位置情報（端末装置２０の識別情報）、及びＳ１０２で入力された対象者の生体情報を処理装置１０に送信する（Ｓ１０３）。処理装置１０は、Ｓ１０３における情報の受信に応じて、所定の情報を登録する登録処理を実行する（Ｓ１０４）。
【００４１】
次に、図８のフローチャートを用いて、処理装置１０が実行するＳ１０４の登録処理の流れを説明する。
【００４２】
受信した操作情報が「スタンプ押下（第１の処理）」を示す場合（Ｓ２０１の「第１の処理」）、処理装置１０は、参加者リスト（図５参照）に含まれる対象者の生体情報を検索する（Ｓ２０５）。そして、処理装置１０は、対象者の生体情報に紐付けられている参加者識別情報に紐付けられているスタンプ情報を更新する（Ｓ２０６）。すなわち、処理装置１０は、対象者の生体情報に紐付けられている参加者識別情報に紐付けて、対象者が位置情報で示される位置に到着したことを登録する。
【００４３】
一方、受信した操作情報が「参加登録（第２の処理）」を示す場合（Ｓ２０１の「第２の処理」）、処理装置１０は、新たな参加者識別情報に紐付けて対象者の生体情報を参加者リストに登録する（Ｓ２０２）。さらに、処理装置１０は、新たな参加者識別情報に紐付けられているスタンプ情報を更新する（Ｓ２０３）。すなわち、処理装置１０は、新たな参加者識別情報に紐付けて、対象者が位置情報で示される位置に到着したことを登録する。
【００４４】
以上説明した本実施形態の処理システムは、参加登録を指定する入力がなされた場合、当該入力に応じて、参加登録の処理のみならず、スタンプ押下の処理も行う。このような本実施形態の処理システムによれば、チェックポイントに設置された端末装置２０で参加登録及びスタンプ押下の両方を行わせる技術において、参加登録だけ行い、その位置でのスタンプ押下が行われない不都合の発生を抑制できる。
【００４５】
＜第２の実施形態＞
本実施形態の処理システムは、処理装置１０による登録処理が完了した場合、実行した処理に応じた内容の画面を端末装置２０に表示させる点で、第１の実施形態と異なる。
【００４６】
本実施形態の処理システムの機能ブロック図は、第１の実施形態同様、図１で示される。
【００４７】
本実施形態の処理装置１０のハードウエア構成は、第１の実施形態と同様である。
【００４８】
本実施形態の処理装置１０の機能ブロック図の一例は、第１の実施形態同様、図４で示される。図示するように、処理装置１０は、取得部１１と、第１の登録部１２と、第２の登録部１３と、参加者情報記憶部１４とを有する。取得部１１及び参加者情報記憶部１４の構成は、第１の実施形態と同様である。
【００４９】
スタンプ押下を指定する入力に応じてスタンプ押下の処理を実行する第１の登録部１２は、対象者が位置情報で示される位置に到着したことの登録（スタンプ押下）が完了したことを示す完了画面を端末装置２０に送信し、当該端末装置２０が備えるディスプレイに表示させる。図９に、第１の登録部１２が端末装置２０に表示させる画面の一例を模式的に示す。第１の登録部１２のその他の構成は、第１の実施形態と同様である。
【００５０】
参加登録を指定する入力に応じて参加登録の処理及びスタンプ押下の処理を実行する第２の登録部１３は、対象者の生体情報の登録（参加登録）、及び、対象者が位置情報で示される位置に到着したことの登録（スタンプ押下）が完了したことを示す完了画面を端末装置２０に送信し、当該端末装置２０が備えるディスプレイに表示させる。図１０に、第２の登録部１３が端末装置２０に表示させる画面の一例を模式的に示す。第２の登録部１３のその他の構成は、第１の実施形態と同様である。
【００５１】
次に、図１１のシーケンス図を用いて、処理システムの処理の流れの一例を説明する。まず、端末装置２０は、処理内容を指定する入力を受付ける（Ｓ１０１）。具体的には、端末装置２０は、「参加登録」及び「スタンプ押下」のいずれかを指定する入力を受付ける。その後、端末装置２０は、生体情報の入力を促す画面をディスプレイに表示し、生体情報の入力を受付ける（Ｓ１０２）。その後、端末装置２０は、Ｓ１０１で指定された処理内容を示す操作情報、対象者の位置を示す位置情報（端末装置２０の識別情報）、及びＳ１０２で入力された対象者の生体情報を処理装置１０に送信する（Ｓ１０３）。処理装置１０は、Ｓ１０３における情報の受信に応じて、所定の情報を登録する登録処理を実行する（Ｓ１０４）。その後、処理装置１０は、Ｓ１０４の登録処理で生成した完了画面を端末装置２０に送信する（Ｓ１０５）。そして、端末装置２０は、受信した完了画面をディスプレイに表示する（Ｓ１０６）。
【００５２】
次に、図１２のフローチャートを用いて、処理装置１０が実行するＳ１０４の登録処理の流れを説明する。
【００５３】
受信した操作情報が「スタンプ押下（第１の処理）」を示す場合（Ｓ２０１の「第１の処理」）、処理装置１０は、参加者リスト（図５参照）に含まれる対象者の生体情報を検索する（Ｓ２０５）。そして、処理装置１０は、対象者の生体情報に紐付けられている参加者識別情報に紐付けられているスタンプ情報を更新する（Ｓ２０６）。すなわち、処理装置１０は、対象者の生体情報に紐付けられている参加者識別情報に紐付けて、対象者が位置情報で示される位置に到着したことを登録する。次いで、処理装置１０は、対象者が位置情報で示される位置に到着したことの登録（スタンプ押下）が完了したことを示す完了画面（例：図９）を生成する（Ｓ２０７）。
【００５４】
一方、受信した操作情報が「参加登録（第２の処理）」を示す場合（Ｓ２０１の「第２の処理」）、処理装置１０は、新たな参加者識別情報に紐付けて対象者の生体情報を参加者リストに登録する（Ｓ２０２）。さらに、処理装置１０は、新たな参加者識別情報に紐付けられているスタンプ情報を更新する（Ｓ２０３）。すなわち、処理装置１０は、新たな参加者識別情報に紐付けて、対象者が位置情報で示される位置に到着したことを登録する。次いで、処理装置１０は、対象者の生体情報の登録（参加登録）、及び、対象者が位置情報で示される位置に到着したことの登録（スタンプ押下）が完了したことを示す完了画面（例：図１０）を生成する（Ｓ２０４）。
【００５５】
以上説明した本実施形態の処理システムによれば、第１の実施形態と同様な作用効果を実現できる。また、本実施形態の処理システムによれば、「参加登録」を指定する入力に応じて「参加登録」及び「スタンプ押下」の両方を行った場合、両方が完了したことを示す完了画面を端末装置２０に表示させることができる。このため、参加者は、当該完了画面を視認することで、参加登録のみならずその位置でのスタンプ押下も完了したことを把握できる。
【００５６】
＜第３の実施形態＞
本実施形態の処理システムは、各参加者が複数のチェックポイントにおいてスタンプを押下した順番を管理する点で、第１及び第２の実施形態と異なる。
【００５７】
本実施形態の処理システムの機能ブロック図は、第１及び第２の実施形態同様、図１で示される。
【００５８】
本実施形態の処理装置１０のハードウエア構成は、第１及び第２の実施形態と同様である。
【００５９】
本実施形態の処理装置１０の機能ブロック図の一例は、第１及び第２の実施形態同様、図４で示される。図示するように、処理装置１０は、取得部１１と、第１の登録部１２と、第２の登録部１３と、参加者情報記憶部１４とを有する。取得部１１及び参加者情報記憶部１４の構成は、第１及び第２の実施形態と同様である。
【００６０】
第１の登録部１２及び第２の登録部１３は、対象者が複数の位置（チェックポイント）各々に到着した順番を示す情報を登録する。例えば、第１の登録部１２及び第２の登録部１３は、参加者識別情報に紐付けて対象者が位置情報で示される位置に到着したことを登録する処理において、上記順番を登録してもよい。
【００６１】
図１３に、本実施形態の参加者情報記憶部１４に記憶される情報の一例を模式的に示す。第１の実施形態で説明したスタンプ情報（図５参照）は、チェックポイントの識別情報に紐付けてチェックを入れていたが、本実施形態のスタンプ情報（図１３参照）は、チェックポイントの識別情報に紐付けて数字（訪問順）を登録している。
【００６２】
第１の登録部１２及び第２の登録部１３のその他の構成は、第１又は第２の実施形態と同様である。
【００６３】
以上説明した本実施形態の処理システムによれば、第１及び第２の実施形態と同様な作用効果を実現できる。また、本実施形態の処理システムによれば、各参加者がどのような順番で複数のチェックポイントを回っているかを把握できる。
【００６４】
＜第４の実施形態＞
本実施形態の処理システムは、端末装置２０を介したユーザ入力に応じて、参加者リストに登録された生体情報を削除する機能を有する点で、第１乃至第３の実施形態と異なる。
【００６５】
本実施形態の処理システムの機能ブロック図は、第１乃至第３実施形態同様、図１で示される。
【００６６】
本実施形態の処理装置１０のハードウエア構成は、第１乃至第３の実施形態と同様である。
【００６７】
本実施形態の処理装置１０の機能ブロック図の一例は、図１４で示される。図示するように、処理装置１０は、取得部１１と、第１の登録部１２と、第２の登録部１３と、参加者情報記憶部１４と、削除部１６とを有する。取得部１１、第１の登録部１２、第２の登録部１３及び参加者情報記憶部１４の構成は、第１乃至第３の実施形態のいずれかと同様である。
【００６８】
削除部１６は、参加者リストに登録された生体情報を削除するか否かを問い合わせる問い合わせ画面を端末装置２０に送信し、端末装置２０が備えるディスプレイに問い合わせ画面を表示させる。問い合わせ画面は、例えば、「生体情報を削除しますか？」という文章と共に、「はい」ボタン及び「いいえ」ボタンを表示した画面であってもよい。そして、削除部１６は、当該問い合わせ画面において生体情報を削除する旨の入力があったことを示す情報を端末装置２０から取得すると、生体情報を参加者リストから削除する。なお、第２の実施形態で説明した完了画面に、上記問い合わせが含まれてもよい。
【００６９】
本実施形態の処理システムの処理の流れの一例は、図１１のシーケンス図で示される。当該処理の流れは、第２の実施形態で説明した通りであるので、ここでの説明は省略する。
【００７０】
次に、図１５のフローチャートを用いて、処理装置１０が実行するＳ１０４の登録処理の流れを説明する。
【００７１】
受信した操作情報が「スタンプ押下（第１の処理）」を示す場合（Ｓ３０１の「第１の処理」）、処理装置１０は、参加者リスト（図５参照）に含まれる対象者の生体情報を検索する（Ｓ３０５）。そして、処理装置１０は、対象者の生体情報に紐付けられている参加者識別情報に紐付けられているスタンプ情報を更新する（Ｓ３０６）。すなわち、処理装置１０は、対象者の生体情報に紐付けられている参加者識別情報に紐付けて、対象者が位置情報で示される位置に到着したことを登録する。次いで、処理装置１０は、位置情報で示される位置でのスタンプ押下が完了したことを示し、かつ、生体情報の削除を問い合わせる完了画面を生成する（Ｓ３０７）。
【００７２】
一方、受信した操作情報が「参加登録（第２の処理）」を示す場合（Ｓ３０１の「第２の処理」）、処理装置１０は、新たな参加者識別情報に紐付けて対象者の生体情報を参加者リストに登録する（Ｓ３０２）。さらに、処理装置１０は、新たな参加者識別情報に紐付けられているスタンプ情報を更新する（Ｓ３０３）。すなわち、処理装置１０は、新たな参加者識別情報に紐付けて、対象者が位置情報で示される位置に到着したことを登録する。次いで、処理装置１０は、対象者の生体情報の登録、及び、位置情報で示される位置でのスタンプ押下が完了したことを示し、かつ、生体情報の削除を問い合わせる完了画面を生成する（Ｓ３０４）。
【００７３】
ここで、本実施形態の変形例を説明する。削除部１６は、所定条件を満たした場合に、上記問い合わせ画面を端末装置２０に送信し、端末装置２０が備えるディスプレイに問い合わせ画面を表示させてもよい。所定条件は、「複数の位置（チェックポイント）すべてに到着したことの登録」であってもよい。
【００７４】
図１６のフローチャートを用いて、処理装置１０が実行するＳ１０４の登録処理の流れを説明する。
【００７５】
受信した操作情報が「スタンプ押下（第１の処理）」を示す場合（Ｓ４０１の「第１の処理」）、処理装置１０は、参加者リスト（図５参照）に含まれる対象者の生体情報を検索する（Ｓ４０５）。そして、処理装置１０は、対象者の生体情報に紐付けられている参加者識別情報に紐付けられているスタンプ情報を更新する（Ｓ４０６）。すなわち、処理装置１０は、対象者の生体情報に紐付けられている参加者識別情報に紐付けて、対象者が位置情報で示される位置に到着したことを登録する。
【００７６】
次いで、処理装置１０は、所定条件、例えば「複数の位置（チェックポイント）すべてに到着したことの登録」を満たすか否か判断する（Ｓ４０７）。満たす場合（Ｓ４０７のＹｅｓ）、処理装置１０は、位置情報で示される位置でのスタンプ押下が完了したことを示し、かつ、生体情報の削除を問い合わせる完了画面（図１７参照）を生成する（Ｓ４０８）。一方、満たさない場合（Ｓ４０７のＮｏ）、処理装置１０は、位置情報で示される位置でのスタンプ押下が完了したことを示す完了画面（図９参照）を生成する（Ｓ４０９）。
【００７７】
一方、受信した操作情報が「参加登録（第２の処理）」を示す場合（Ｓ４０１の「第２の処理」）、処理装置１０は、新たな参加者識別情報に紐付けて対象者の生体情報を参加者リストに登録する（Ｓ４０２）。さらに、処理装置１０は、新たな参加者識別情報に紐付けられているスタンプ情報を更新する（Ｓ４０３）。すなわち、処理装置１０は、新たな参加者識別情報に紐付けて、対象者が位置情報で示される位置に到着したことを登録する。次いで、処理装置１０は、対象者の生体情報の登録、及び、位置情報で示される位置でのスタンプ押下が完了したことを示す完了画面（図１０参照）を生成する（Ｓ４０４）。
【００７８】
以上説明した本実施形態の処理システムによれば、第１乃至第３の実施形態と同様な作用効果を実現できる。また、本実施形態の処理システムによれば、端末装置２０を介したユーザ入力に応じて、参加者リストに登録された生体情報を削除することができる。参加者は、自分の好きなタイミングで、かつ、自分の意志で、自分の生体情報を削除することができ、参加者の利便性が向上する。
【００７９】
また、本実施形態の処理システムによれば、所定の条件を満たした場合、すなわち削除要求がなされる可能性が比較的高い場合に、登録された生体情報を削除するか否かの問い合わせを行うことができる。削除要求がなされる可能性が比較的低い場合に上記問い合わせを行わないので、参加者が誤って削除要求を行ってしまう不都合を抑制できる。
【００８０】
＜第５の実施形態＞
本実施形態の処理システムは、ユーザ入力に応じて参加登録が完了した後、自動的に、スタンプ押下のための生体情報の取得を端末装置２０に実行させる点で、第１乃至第４の実施形態と異なる。
【００８１】
本実施形態の処理システムの機能ブロック図は、第１乃至第４実施形態同様、図１で示される。
【００８２】
本実施形態の処理装置１０のハードウエア構成は、第１乃至第４の実施形態と同様である。
【００８３】
本実施形態の処理装置１０の機能ブロック図の一例は、図４又は図１４で示される。図示するように、処理装置１０は、取得部１１と、第１の登録部１２と、第２の登録部１３と、参加者情報記憶部１４とを有する。処理装置１０は、さらに削除部１６を有してもよい。取得部１１、第１の登録部１２、参加者情報記憶部１４及び削除部１６の構成は、第１乃至第４の実施形態と同様である。
【００８４】
第２の登録部１３は、操作情報が「参加登録（第２の処理）」を示す場合、新たな参加者識別情報に紐付けて対象者の生体情報を参加者リストに登録する（参加登録）。そして、第２の登録部１３は、参加登録の完了に応じて、端末装置２０に生体情報の取得を要求する。端末装置２０は、当該要求に応じて、生体情報の入力を促す画面をディスプレイに表示し、生体情報の入力を受付ける。そして、端末装置２０は、入力された生体情報を処理装置１０に送信する。
【００８５】
第２の登録部１３は、上記要求に応じて端末装置２０から送信された生体情報を受信すると、当該生体情報をキーとして参加者リストを検索し、当該生体情報に紐付けられている参加者識別情報を特定する。そして、第２の登録部１３は、特定した参加者識別情報に紐付けて、対象者が位置情報で示される位置に到着したことを登録する（スタンプ押下）。
【００８６】
以上説明した本実施形態の処理システムによれば、参加登録完了に応じて、スタンプ押下の処理（生体情報の取得）が自動的に開始される。このため、参加登録だけ行い、その位置でのスタンプ押下が行われない不都合の発生を抑制できる。
【００８７】
＜第６の実施形態＞
本実施形態の処理システムは、処理装置１０が操作情報に基づき実行する処理内容を決定するのでなく、受信した生体情報が参加者リストに登録されているか否かに基づき実行する処理内容を決定する点で、第１乃至第５の実施形態と異なる。
【００８８】
本実施形態の処理システムの機能ブロック図は、第１乃至第５実施形態同様、図１で示される。
【００８９】
本実施形態の処理装置１０のハードウエア構成は、第１乃至第５の実施形態と同様である。
【００９０】
本実施形態の処理装置１０の機能ブロック図の一例は、図１８で示される。図示するように、処理装置１０は、取得部１１と、第１の登録部１２と、第２の登録部１３と、参加者情報記憶部１４と、処理内容決定部１５とを有する。
【００９１】
本実施形態の処理装置１０の機能ブロック図の他の一例は、図１９で示される。図示するように、処理装置１０は、取得部１１と、第１の登録部１２と、第２の登録部１３と、参加者情報記憶部１４と、処理内容決定部１５と、削除部１６とを有する。
【００９２】
参加者情報記憶部１４及び削除部１６の構成は、第１乃至第５の実施形態と同様である。
【００９３】
取得部１１は、対象者の位置を示す位置情報、及び対象者の生体情報を端末装置２０から取得する。取得部１１は、操作情報を取得してもよいし、取得しなくてもよい。
【００９４】
処理内容決定部１５は、参加者識別情報と参加者の生体情報とを紐付けて登録している参加者リストに含まれる対象者の生体情報を検索する。そして、処理内容決定部１５は、対象者の生体情報が参加者リストに含まれる場合に第１の処理を実行することを決定する。一方、対象者の生体情報が参加者リストに含まれない場合、処理内容決定部１５は第２の処理を実行することを決定する。
【００９５】
第１の登録部１２は、第１の処理を実行する決定に応じて、参加者リストに含まれる対象者の生体情報に紐付けられている参加者識別情報に紐付けて、対象者が位置情報で示される位置に到着したことを登録する。第１の登録部１２のその他の構成は、第１乃至第５の実施形態のいずれかと同様である。
【００９６】
第２の登録部１３は、第２の処理を実行する決定に応じて、新たな参加者識別情報に紐付けて対象者の生体情報を参加者リストに登録する。そして、第２の登録部１３は、新たな参加者識別情報に紐付けて、対象者が位置情報で示される位置に到着したことを登録する。第２の登録部１３のその他の構成は、第１乃至第５の実施形態のいずれかと同様である。
【００９７】
以上説明した本実施形態の処理システムによれば、第１乃至第５の実施形態と同様な作用効果を実現できる。また、本実施形態の処理システムによれば、端末装置２０に表示させる画面に「スタンプを押す」ボタン及び「初めて参加する」ボタンを別々に設ける必要がなく、図２０に示すように例えば「スタンプを押す」ボタンのみを表示すればよい。このボタンが押下された後に生体情報が入力されると、処理装置１０はその生体情報が登録されているか否かを判断し、判断結果に応じた処理を実行することができる。具体的には、登録されていない場合は「参加登録」及び「スタンプ押下」を行い、登録されている場合には「スタンプ押下」を行う。このような本実施形態の処理システムによれば、画面をシンプルにできるので、ユーザの操作が簡単になる。
【００９８】
以下、参考形態の例を付記する。
１．  対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置。
２．  対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有する処理装置。
３．  １又は２に記載の処理装置において、
前記第２の登録手段は、前記対象者の生体情報の登録、及び、前記対象者が前記位置情報で示される位置に到着したことの登録の完了を示す情報を、前記端末装置に送信し、前記端末装置が備えるディスプレイに表示させる処理装置。
４．  １から３のいずれかに記載の処理装置において、
前記第１の登録手段及び前記第２の登録手段は、前記対象者が複数の位置各々に到着した順番を示す情報を登録する処理装置。
５．  １から４のいずれかに記載の処理装置において、
複数の前記端末装置各々が、複数の位置各々に設置されており、
前記対象者の位置を示す位置情報として、前記端末装置の識別情報を取得する処理装置。
６．  １から５のいずれかに記載の処理装置において、
所定条件を満たす場合、前記参加者リストに登録されている生体情報を削除するか否かを問い合わせる問い合わせ画面を前記端末装置に送信し、前記端末装置が備えるディスプレイに前記問い合わせ画面を表示させ、前記問い合わせ画面における前記生体情報を削除する旨の入力を示す情報を前記端末装置から取得すると、前記生体情報を前記参加者リストから削除する削除手段をさらに有する処理装置。
７．  ６に記載の処理装置において、
前記削除手段は、複数の位置すべてに到着したことが登録されると、前記問い合わせ画面を前記端末装置に送信する処理装置。
８．  処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システム。
９．  処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段と、
を有し、
前記端末装置は、
前記対象者の生体情報の入力を受付ける手段と、
前記対象者の生体情報を前記処理装置に送信する手段と、
を有する処理システム。
１０．  コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法。
１１．  コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索し、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラム。
１２．  コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録工程と、
を実行する処理方法。
１３．  コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索し、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、前記新たな参加者識別情報に紐付けて、前記対象者が前記位置情報で示される位置に到着したことを登録する第２の登録手段、
として機能させるプログラム。
【符号の説明】
【００９９】
１Ａ    プロセッサ
２Ａ    メモリ
３Ａ    入出力Ｉ／Ｆ
４Ａ    周辺回路
５Ａ    バス
１０    処理装置
１１    取得部
１２    第１の登録部
１３    第２の登録部
１４    参加者情報記憶部
１５    処理内容決定部
１６    削除部
２０    端末装置
【図１】
2020071706.tif 000003
【図２】
2020071706.tif 000004
【図３】
2020071706.tif 000005
【図４】
2020071706.tif 000006
【図５】
2020071706.tif 000007
【図６】
2020071706.tif 000008
【図７】
2020071706.tif 000009
【図８】
2020071706.tif 000010
【図９】
2020071706.tif 000011
【図１０】
2020071706.tif 000012
【図１１】
2020071706.tif 000013
【図１２】
2020071706.tif 000014
【図１３】
2020071706.tif 000015
【図１４】
2020071706.tif 000016
【図１５】
2020071706.tif 000017
【図１６】
2020071706.tif 000018
【図１７】
2020071706.tif 000019
【図１８】
2020071706.tif 000020
【図１９】
2020071706.tif 000021
【図２０】
2020071706.tif 000022
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有する処理装置。
【請求項２】
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有する処理装置。
【請求項３】
請求項１又は２に記載の処理装置において、
前記第２の登録手段は、前記対象者の生体情報の登録、及び、前記対象者が前記位置情報で示される位置に到着したことの登録の完了を示す情報を、前記端末装置に送信し、前記端末装置が備えるディスプレイに表示させる処理装置。
【請求項４】
請求項１から３のいずれか１項に記載の処理装置において、
前記第１の登録手段及び前記第２の登録手段は、前記対象者が複数の位置各々に到着した順番を示す情報を登録する処理装置。
【請求項５】
請求項１から４のいずれか１項に記載の処理装置において、
複数の前記端末装置各々が、複数の位置各々に設置されており、
前記対象者の位置を示す位置情報として、前記端末装置の識別情報を取得する処理装置。
【請求項６】
請求項１から５のいずれか１項に記載の処理装置において、
所定条件を満たす場合、前記参加者リストに登録されている生体情報を削除するか否かを問い合わせる問い合わせ画面を前記端末装置に送信し、前記端末装置が備えるディスプレイに前記問い合わせ画面を表示させ、前記問い合わせ画面における前記生体情報を削除する旨の入力を示す情報を前記端末装置から取得すると、前記生体情報を前記参加者リストから削除する削除手段をさらに有する処理装置。
【請求項７】
請求項６に記載の処理装置において、
前記削除手段は、複数の位置すべてに到着したことが登録されると、前記問い合わせ画面を前記端末装置に送信する処理装置。
【請求項８】
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システム。
【請求項９】
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有し、
前記端末装置は、
前記対象者の生体情報の入力を受付ける手段と、
前記対象者の生体情報を前記処理装置に送信する手段と、
を有する処理システム。
【請求項１０】
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
を実行する処理方法。
【請求項１１】
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
として機能させるプログラム。
【請求項１２】
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
を実行する処理方法。
【請求項１３】
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
として機能させるプログラム。
【手続補正２】
【補正対象書類名】明細書
【補正対象項目名】０００９
【補正方法】変更
【補正の内容】
【０００９】
本発明によれば、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有する処理装置が提供される。
【手続補正３】
【補正対象書類名】明細書
【補正対象項目名】００１０
【補正方法】変更
【補正の内容】
【００１０】
また、本発明によれば、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有する処理装置が提供される。
【手続補正４】
【補正対象書類名】明細書
【補正対象項目名】００１１
【補正方法】変更
【補正の内容】
【００１１】
また、本発明によれば、
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システムが提供される。
【手続補正５】
【補正対象書類名】明細書
【補正対象項目名】００１２
【補正方法】変更
【補正の内容】
【００１２】
また、本発明によれば、
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
を有し、
前記端末装置は、
前記対象者の生体情報の入力を受付ける手段と、
前記対象者の生体情報を前記処理装置に送信する手段と、
を有する処理システムが提供される。
【手続補正６】
【補正対象書類名】明細書
【補正対象項目名】００１３
【補正方法】変更
【補正の内容】
【００１３】
また、本発明によれば、
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
を実行する処理方法が提供される。
【手続補正７】
【補正対象書類名】明細書
【補正対象項目名】００１４
【補正方法】変更
【補正の内容】
【００１４】
また、本発明によれば、
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
として機能させるプログラムが提供される。
【手続補正８】
【補正対象書類名】明細書
【補正対象項目名】００１５
【補正方法】変更
【補正の内容】
【００１５】
また、本発明によれば、
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
を実行する処理方法が提供される。
【手続補正９】
【補正対象書類名】明細書
【補正対象項目名】００１６
【補正方法】変更
【補正の内容】
【００１６】
また、本発明によれば、
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
として機能させるプログラムが提供される。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有する処理装置。
【請求項２】
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有する処理装置。
【請求項３】
請求項１又は２に記載の処理装置において、
前記第２の登録手段は、前記対象者の生体情報の登録、及び、前記対象者が前記位置情報で示される位置に到着したことの登録の完了を示す情報を、前記端末装置に送信し、前記端末装置が備えるディスプレイに表示させる処理装置。
【請求項４】
請求項１から３のいずれか１項に記載の処理装置において、
前記第１の登録手段及び前記第２の登録手段は、前記対象者が複数の位置各々に到着した順番を示す情報を登録する処理装置。
【請求項５】
請求項１から４のいずれか１項に記載の処理装置において、
複数の前記端末装置各々が、複数の位置各々に設置されており、
前記対象者の位置を示す位置情報として、前記端末装置の識別情報を取得する処理装置。
【請求項６】
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システム。
【請求項７】
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有し、
前記端末装置は、
前記対象者の生体情報の入力を受付ける手段と、
前記対象者の生体情報を前記処理装置に送信する手段と、
を有する処理システム。
【請求項８】
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除工程と、
を実行する処理方法。
【請求項９】
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段、
として機能させるプログラム。
【請求項１０】
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除工程と、
を実行する処理方法。
【請求項１１】
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段、
として機能させるプログラム。
【手続補正２】
【補正対象書類名】明細書
【補正対象項目名】０００９
【補正方法】変更
【補正の内容】
【０００９】
本発明によれば、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有する処理装置が提供される。
【手続補正３】
【補正対象書類名】明細書
【補正対象項目名】００１０
【補正方法】変更
【補正の内容】
【００１０】
また、本発明によれば、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有する処理装置が提供される。
【手続補正４】
【補正対象書類名】明細書
【補正対象項目名】００１１
【補正方法】変更
【補正の内容】
【００１１】
また、本発明によれば、
処理装置と端末装置とを有し、
前記処理装置は、
対象者による操作内容を示す操作情報、前記対象者の位置を示す位置情報、及び前記対象者の生体情報を端末装置から取得する取得手段と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有し、
前記端末装置は、
処理内容を指定する入力、及び、前記対象者の生体情報の入力を受付ける手段と、
前記操作情報及び前記対象者の生体情報を前記処理装置に送信する手段と、
を有する処理システムが提供される。
【手続補正５】
【補正対象書類名】明細書
【補正対象項目名】００１２
【補正方法】変更
【補正の内容】
【００１２】
また、本発明によれば、
処理装置と端末装置とを有し、
前記処理装置は、
対象者の位置を示す位置情報、及び前記対象者の生体情報を端末装置から取得する取得手段と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段と、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段と、
を有し、
前記端末装置は、
前記対象者の生体情報の入力を受付ける手段と、
前記対象者の生体情報を前記処理装置に送信する手段と、
を有する処理システムが提供される。
【手続補正６】
【補正対象書類名】明細書
【補正対象項目名】００１３
【補正方法】変更
【補正の内容】
【００１３】
また、本発明によれば、
コンピュータが、
対象者による操作内容を示す操作情報、前記対象者の位置を示す位置情報、及び前記対象者の生体情報を端末装置から取得する取得工程と、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録工程と、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除工程と、
を実行する処理方法が提供される。
【手続補正７】
【補正対象書類名】明細書
【補正対象項目名】００１４
【補正方法】変更
【補正の内容】
【００１４】
また、本発明によれば、
コンピュータを、
対象者による操作内容を示す操作情報、前記対象者の位置を示す位置情報、及び前記対象者の生体情報を端末装置から取得する取得手段、
前記操作情報が第１の処理を示す場合、参加者識別情報と参加者の生体情報とを紐付けて登録している参加者リストに含まれる前記対象者の生体情報を検索する処理を含む認証処理を行い、前記対象者の生体情報に紐付けられている前記参加者識別情報に紐付けて、前記対象者が前記位置情報で示される位置に到着したことを登録する第１の登録手段、
前記操作情報が第２の処理を示す場合、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段、
として機能させるプログラムが提供される。
【手続補正８】
【補正対象書類名】明細書
【補正対象項目名】００１５
【補正方法】変更
【補正の内容】
【００１５】
また、本発明によれば、
コンピュータが、
対象者の位置を示す位置情報、及び前記対象者の生体情報を端末装置から取得する取得工程と、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定工程と、
前記第１の処理を実行することが決定された場合、前記参加者リストに含まれる前記対象者の生体情報に紐付けられている前記参加者識別情報に紐付けて、前記対象者が前記位置情報で示される位置に到着したことを登録する第１の登録工程と、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録工程と、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除工程と、
を実行する処理方法が提供される。
【手続補正９】
【補正対象書類名】明細書
【補正対象項目名】００１６
【補正方法】変更
【補正の内容】
【００１６】
また、本発明によれば、
コンピュータを、
対象者の位置を示す位置情報、及び前記対象者の生体情報を端末装置から取得する取得手段、
参加者識別情報と参加者の生体情報とを紐付けて登録している参加者リストに含まれる前記対象者の生体情報を検索する処理を含む認証処理を行い、前記対象者の生体情報が前記参加者リストに含まれる場合に第１の処理を実行することを決定し、前記対象者の生体情報が前記参加者リストに含まれない場合に第２の処理を実行することを決定する処理内容決定手段、
前記第１の処理を実行する決定に応じて、前記参加者リストに含まれる前記対象者の生体情報に紐付けられている前記参加者識別情報に紐付けて、前記対象者が前記位置情報で示される位置に到着したことを登録する第１の登録手段、
前記第２の処理を実行する決定に応じて、新たな参加者識別情報に紐付けて前記対象者の生体情報を前記参加者リストに登録するとともに、当該登録後に前記認証処理を行うことなく、前記新たな参加者識別情報に紐付けて、前記対象者が前記位置情報で示される位置に到着したことを登録する第２の登録手段、
複数の位置すべてに到着したことが登録されると、前記参加者リストに登録されている生体情報を削除するか否かを問い合わせる問い合わせ画面を前記端末装置に送信し、前記生体情報を削除することを示す情報を前記端末装置から取得すると、前記生体情報を前記参加者リストから削除する削除手段、
として機能させるプログラムが提供される。